(57)【要約】【課題】定着装置の定着ローラーに発生する温度差を解消する。【解決手段】画像処理装置の定着装置は、電磁誘導により誘導加熱される被加熱体と、被加熱体の長手方向に沿って配置される電磁誘導コイルと、電磁誘導コイルから発生する磁束を変化させるように構成された磁束変化部と、磁束変化部が磁束を変化させたときに、電磁誘導コイルの電圧の変化を検出するように構成された電圧検出部と、電圧検出部が取得した電圧に基づいて、電磁誘導コイルと被加熱体とが予め定められた位置関係に配置されているか否かを判定するように構成された判定部とを備える。【選択図】図３
2019028263.tif 000002
【特許請求の範囲】
【請求項１】
電磁誘導により誘導加熱される被加熱体と、
前記被加熱体の長手方向に沿って配置される電磁誘導コイルと、
前記電磁誘導コイルから発生する磁束を変化させるように構成された磁束変化部と、
前記磁束変化部が前記磁束を変化させたときに、前記電磁誘導コイルの電圧の変化を検出するように構成された電圧検出部と、
前記電圧検出部が取得した電圧に基づいて、前記電磁誘導コイルと前記被加熱体とが予め定められた位置関係に配置されているか否かを判定し、当該判定の結果を出力するように構成された判定部とを備える、画像処理装置の定着装置。
【請求項２】
前記磁束変化部は、前記電磁誘導コイルから発生する磁束の一部を変化させるように構成された第１の磁束変化ユニットと、前記長手方向において前記第１の磁束変化ユニットが前記磁束を変化させる位置とは異なる部分の前記磁束を変化させる第２の磁束変化ユニットとを含む、請求項１に記載の定着装置。
【請求項３】
前記判定部は、前記第１の磁束変化ユニットによる前記磁束の変化に伴う電圧の変化と、前記第２の磁束変化ユニットによる前記磁束の変化に伴う電圧の変化とを比較して、前記電磁誘導コイルと前記被加熱体とが前記予め定められた位置関係に配置されているか否かを判定するように構成されている、請求項２に記載の定着装置。
【請求項４】
前記判定部は、前記電圧検出部が検出した電圧の変化として得られた値と、前記電磁誘導コイルと前記被加熱体とが予め定められた位置関係に配置されている場合の電圧の変化である正常変化値とを比較して、前記電磁誘導コイルと前記被加熱体とが前記予め定められた位置関係に配置されているか否かを判定するように構成されている、請求項１または２に記載の定着装置。
【請求項５】
前記予め定められた位置関係とは、前記電磁誘導コイルと前記被加熱体とが平行に配置されていることである、請求項１〜４のいずれかに記載の定着装置。
【請求項６】
前記電磁誘導コイルと前記被加熱体とが平行に配置されていないと判定された場合に、当該電磁誘導コイルに流れる電流量を増加させて、前記誘導加熱による加熱量を増加させるように構成された電流制御部をさらに備える、請求項５に記載の定着装置。
【請求項７】
前記電磁誘導コイルは、前記長手方向の一端側と他端側とで、前記誘導加熱による加熱量を一様に増加させるように構成されている、請求項６に記載の定着装置。
【請求項８】
前記電磁誘導コイルの前記被加熱体に対する位置を変更するように構成された駆動部と、
前記駆動部を制御するための駆動制御部とをさらに備え、
前記判定部は、前記電磁誘導コイルと前記被加熱体とが平行に配置されていないと判定した場合に、当該判定の結果として前記駆動部に前記電磁誘導コイルが前記被加熱体に平行になるように駆動するための信号を駆動制御部に出力するように構成されている、請求項５〜７のいずれかに記載の定着装置。
【請求項９】
前記磁束変化部は、消磁コイルを含む、請求項１〜８のいずれかに記載の定着装置。
【請求項１０】
前記磁束変化部は、コア材と、当該コア材を前記長手方向に沿って移動させるように構成されたコア材駆動部とを備える、請求項１〜８のいずれかに記載の定着装置。
【請求項１１】
電磁誘導により誘導加熱される被加熱体と、
前記被加熱体の長手方向に沿って配置される複数の電磁誘導コイルと、
複数の前記電磁誘導コイルのそれぞれに流れる電流を変化させたときに、複数の前記電磁誘導コイルのそれぞれにおける電圧の変化を検出するように構成された電圧検出部と、
前記電圧検出部が検出した電圧の変化に基づいて、複数の前記電磁誘導コイルのそれぞれと前記被加熱体とが予め定められた位置関係に配置されているか否かを判定し、当該判定の結果を出力するように構成された判定部とを備える、画像処理装置の定着装置。
【請求項１２】
記録媒体に画像を形成するように構成された画像形成部と、
原稿から画像を読み取るように構成された画像読取部と、
請求項１〜１１のいずれかに記載の定着装置とを備える、画像処理装置。
【請求項１３】
記録媒体に画像を形成するように構成された画像形成部と、
原稿から画像を読み取るように構成された画像読取部と、
請求項６または請求項７に記載の定着装置とを備え、
前記電流制御部は、前記電磁誘導コイルと前記被加熱体とが前記予め定められた位置関係に配置されていないと判定された場合、さらに前記電圧検出部が検出した電圧が前記画像形成部による記録媒体への画像形成の品質に関する閾値以下であるときに、前記誘導加熱による加熱量を増加させるように構成されている、画像処理装置。
【請求項１４】
記録媒体に画像を形成するように構成された画像形成部と、
原稿から画像を読み取るように構成された画像読取部と、
前記画像形成部および前記画像読取部の動作を制御するように構成された画像制御部と、
請求項６または請求項７に記載の定着装置とを備え、
前記画像制御部は、前記電磁誘導コイルと前記被加熱体とが前記予め定められた位置関係に配置されていないと判定された場合、さらに前記電圧検出部が検出した電圧が前記画像形成部による記録媒体への画像形成の品質に関する閾値を超えたときに、前記画像形成部の一部の機能に対して限定を加えるように構成されている、画像処理装置。
【請求項１５】
前記限定は、前記画像形成部が記録媒体に形成する画像の幅を狭くすることを含む、請求項１４に記載の画像処理装置。
【請求項１６】
前記限定は、前記画像形成部に対して狭められた前記幅を超えた幅の画像の形成が指示された場合に、当該画像のうち狭められた前記幅に対応する画像のみを形成することを含む、請求項１５に記載の画像処理装置。
【請求項１７】
前記限定は、前記画像形成部に対して狭められた前記幅を超えた幅の画像の形成が指示された場合に、狭められた前記幅に対応するように当該画像を縮小して形成することを含む、請求項１５に記載の画像処理装置。
【請求項１８】
前記画像制御部は、前記画像形成部の一部の機能に対して前記限定を加えた場合に、前記画像読取部のスキャン機能を維持させるように構成されている、請求項１４〜１７のいずれかに記載の画像処理装置。
【請求項１９】
定着装置における電磁誘導コイルの配置判定方法であって、
前記電磁誘導コイルから発生する磁束を変化させるステップと、
前記磁束を変化させたときに、前記電磁誘導コイルの電圧の変化を検出するステップと、
検出された前記電圧の変化に基づいて、前記電磁誘導コイルと電磁誘導により誘導加熱される被加熱体とが予め定められた位置関係に配置されているか否かを判定するステップと、
当該判定するステップでの判定結果を出力するステップとを備える、配置判定方法。
【請求項２０】
定着装置における電磁誘導コイルの配置判定方法であって、
複数の前記電磁誘導コイルのそれぞれに流れる電流を変化させたときに、複数の前記電磁誘導コイルのそれぞれにおける電圧の変化を検出するステップと、
検出された前記電圧の変化に基づいて、複数の前記電磁誘導コイルのそれぞれと電磁誘導により誘導加熱される被加熱体とが予め定められた位置関係に配置されているか否かを判定するステップと、
当該判定するステップでの判定結果を出力するステップとを備える、配置判定方法。
【発明の詳細な説明】
【技術分野】
【０００１】
本開示は、定着装置に関し、より特定的には電磁誘導コイルによって定着ローラーを加熱する定着装置に関する。
【背景技術】
【０００２】
画像処理装置において、誘導加熱方式の定着装置が普及している。当該方式を採用された定着装置では、電磁誘導コイルへの通電により定着ローラーを加熱する。定着ローラーは、記録媒体を加熱することにより、記録媒体上に画像を定着させる。
【０００３】
このような方式の画像処理装置について、種々改善が提案されている。たとえば特許文献１は、「誘導加熱用のコイルとヒートローラとの間の距離の微調整を容易にする」技術を開示している（［要約］の［解決手段］参照）。また、特許文献２は、「発熱体の損傷を適確に検知する」技術を開示している（［要約］の［解決手段］参照）。
【先行技術文献】
【特許文献】
【０００４】
【特許文献１】特開２０１０−１８１８８１号公報
【特許文献２】特開２００９−２０４７４５号公報
【発明の概要】
【発明が解決しようとする課題】
【０００５】
しかし、上記従来の定着装置においては、定着ローラーの表面に温度差が発生してしまい、記録媒体を十分に加熱するために、定着ローラーの一部を必要以上に加熱しなければならないという不具合が発生していた。よって、定着ローラーに発生する温度差による不具合を解消する技術が求められている。
【０００６】
本開示は、かかる実情に鑑み考え出されたものであり、ある局面における目的は、定着ローラーに発生する温度差を解消するための技術を提供することである。
【課題を解決するための手段】
【０００７】
ある局面に従うと、画像処理装置の定着装置は、電磁誘導により誘導加熱される被加熱体と、被加熱体の長手方向に沿って配置される電磁誘導コイルと、電磁誘導コイルから発生する磁束を変化させるように構成された磁束変化部と、磁束変化部が磁束を変化させたときに、電磁誘導コイルの電圧の変化を検出するように構成された電圧検出部と、電圧検出部が取得した電圧に基づいて、電磁誘導コイルと被加熱体とが予め定められた位置関係に配置されているか否かを判定し、当該判定の結果を出力するように構成された判定部とを備える。
【０００８】
好ましくは、磁束変化部は、電磁誘導コイルから発生する磁束の一部を変化させるように構成された第１の磁束変化ユニットと、長手方向において第１の磁束変化ユニットが磁束を変化させる位置とは異なる部分の磁束を変化させる第２の磁束変化ユニットとを含む。
【０００９】
好ましくは、判定部は、第１の磁束変化ユニットによる磁束の変化に伴う電圧の変化と、第２の磁束変化ユニットによる磁束の変化に伴う電圧の変化とを比較して、電磁誘導コイルと被加熱体とが予め定められた位置関係に配置されているか否かを判定するように構成されている。
【００１０】
好ましくは、判定部は、電圧検出部が検出した電圧の変化として得られた値と、電磁誘導コイルと被加熱体とが予め定められた位置関係に配置されている場合の電圧の変化である正常変化値とを比較して、電磁誘導コイルと被加熱体とが予め定められた位置関係に配置されているか否かを判定するように構成されている。
【００１１】
好ましくは、予め定められた位置関係は、電磁誘導コイルと被加熱体とが平行に配置されていることである。
【００１２】
好ましくは、電磁誘導コイルと被加熱体とが平行に配置されていないと判定された場合に、当該電磁誘導コイルに流れる電流量を増加させて、誘導加熱による加熱量を増加させるように構成された電流制御部をさらに備える。
【００１３】
好ましくは、電磁誘導コイルは、長手方向の一端側と他端側とで、誘導加熱による加熱量を一様に増加させるように構成されている。
【００１４】
好ましくは、電磁誘導コイルの被加熱体に対する位置を変更するように構成された駆動部をさらに備え、判定部は、電磁誘導コイルと被加熱体とが平行に配置されていないと判定した場合に、当該判定の結果として駆動部に電磁誘導コイルが被加熱体に平行になるように駆動するための信号を駆動制御部に出力するように構成されている。
【００１５】
好ましくは、磁束変化部は、消磁コイルを含む。
好ましくは、磁束変化部は、コア材と、当該コア材を長手方向に沿って移動させるように構成されたコア材駆動部とを備える。
【００１６】
好ましくは、画僧処理装置の定着装置は、電磁誘導により誘導加熱される被加熱体と、被加熱体の長手方向に沿って配置される複数の電磁誘導コイルと、複数の電磁誘導コイルのそれぞれに流れる電流を変化させたときに、複数の電磁誘導コイルのそれぞれにおける電圧の変化を検出するように構成された電圧検出部と、電圧検出部が検出した電圧の変化に基づいて、複数の電磁誘導コイルのそれぞれと被加熱体とが予め定められた位置関係に配置されているか否かを判定し、当該判定の結果を出力するように構成された判定部とを備える。
【００１７】
好ましくは、画像形成装置は、記録媒体に画像を形成するように構成された画像形成部と、原稿から画像を読み取るように構成された画像読取部と、上記の定着装置とを備える。
【００１８】
好ましくは、記録媒体に画像を形成するように構成された画像形成部と、原稿から画像を読み取るように構成された画像読取部と、上記の定着装置とを備える。電流制御部は、電磁誘導コイルと被加熱体とが予め定められた位置関係に配置されていないと判定された場合、さらに電圧検出部が検出した電圧が画像形成部による記録媒体への画像形成の品質に関する閾値以下であるときに、誘導加熱による加熱量を増加させるように構成されている。
【００１９】
好ましくは、記録媒体に画像を形成するように構成された画像形成部と、原稿から画像を読み取るように構成された画像読取部と、画像形成部および画像読取部の動作を制御するように構成された画像制御部と、上記の定着装置とを備える。画像制御部は、電磁誘導コイルと被加熱体とが予め定められた位置関係に配置されていないと判定された場合、さらに電圧検出部が検出した電圧が画像形成部による記録媒体への画像形成の品質に関する閾値を超えたときに、画像形成部の一部の機能に対して限定を加えるように構成されている。
【００２０】
好ましくは、限定は、画像形成部が記録媒体に形成する画像の幅を狭くすることを含む。
【００２１】
好ましくは、限定は、画像形成部に対して狭められた幅を超えた幅の画像の形成が指示された場合に、当該画像のうち狭められた幅に対応する画像のみを形成することを含む。
【００２２】
好ましくは、限定は、画像形成部に対して狭められた幅を超えた幅の画像の形成が指示された場合に、狭められた幅に対応するように当該画像を縮小して形成することを含む。
【００２３】
好ましくは、画像制御部は、画像形成部の一部の機能に対して限定を加えた場合に、画像読取部のスキャン機能を維持させるように構成されている。
【００２４】
他の局面に従うと、電磁誘導により誘導加熱される被加熱体と、被加熱体の長手方向に沿って配置される電磁誘導コイルとを備える定着装置において実行される、電磁誘導コイルの配置判定方法が提供される。当該配置判定方法は、電磁誘導コイルから発生する磁束を変化させるステップと、磁束を変化させたときに、電磁誘導コイルの電圧の変化を検出するステップと、検出された電圧の変化に基づいて、電磁誘導コイルと被加熱体とが予め定められた位置関係に配置されているか否かを判定するステップと、当該判定結果を出力するステップとを備える。
【００２５】
さらに他の局面に従うと、電磁誘導により誘導加熱される被加熱体と、被加熱体の長手方向に沿って配置される複数の電磁誘導コイルとを備える定着装置において実行される、電磁誘導コイルの配置判定方法が提供される。複数の電磁誘導コイルのそれぞれに流れる電流を変化させたときに、複数の電磁誘導コイルのそれぞれにおける電圧の変化を検出するステップと、検出された電圧の変化に基づいて、複数の電磁誘導コイルのそれぞれと被加熱体とが予め定められた位置関係に配置されているか否かを判定するステップと、当該判定結果を出力するステップとを備える。
【図面の簡単な説明】
【００２６】
【図１】画像処理装置の全体構造の一例を示す図である。
【図２】画像処理装置の主要なハードウェア構成を示すブロック図である。
【図３】第１の実施の形態に係る定着装置の構成を示す図である。
【図４】定着器の構成を示すである。
【図５】電磁誘導コイルユニットと加熱ローラーとの配置状態と、加熱ローラーとの温度の関係を示す図である。
【図６】第１の実施の形態にかかる配置判定処理の手順を示すフローチャートである。
【図７】第２の実施の形態に係る定着装置について示す図である。
【図８】第２の実施の形態に係る配置判定処理の手順を示すフローチャートである。
【図９】第３の実施の形態に係る定着装置について示す図である。
【図１０】第４の実施の形態に係る定着装置について示す図である。
【図１１】第５の実施の形態に係る定着装置について示す図である。
【図１２】第５の実施の形態に係る配置判定処理の手順を示すフローチャートである。
【図１３】第６の実施の形態に係る定着装置および画像処理装置について示す図である。
【図１４】第６の実施の形態に係る配置判定処理の手順を示すフローチャートである。
【発明を実施するための形態】
【００２７】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２８】
＜第１の実施の形態＞
［１．画像処理装置１００の構成］
図１を参照して、画像処理装置１００について説明する。図１は、画像処理装置１００の全体構造の一例を示す図である。
【００２９】
図１には、カラープリンターとしての画像処理装置１００が示されている。以下では、カラープリンタとしての画像処理装置１００について説明するが、画像処理装置１００は、カラープリンタに限定されない。たとえば、画像処理装置１００は、モノクロプリンタであってもよいし、モノクロプリンタ、カラープリンタおよびファクシミリの複合機（所謂ＭＦＰ（Multi  Functional  Peripheral））であってもよい。
【００３０】
画像処理装置１００は、画像読取部としてのスキャナー２０と、画像形成部９０（９０Ｙ，９０Ｍ，９０Ｃ，９０Ｋ）を備えるプリンター２５とを備える。スキャナー２０は、カバー２１と、用紙台２２と、トレー２３と、ＡＤＦ（Auto  Document  Feeder）２４とで構成されている。カバー２１の一端は、用紙台２２に固定されており、カバー２１は、当該一端を支点として開閉可能に構成されている。
【００３１】
画像処理装置１００のユーザーは、カバー２１を開くことで、原稿を用紙台２２にセットすることができる。画像処理装置１００は、原稿が用紙台２２にセットされた状態でスキャン指示を受け付けると、用紙台２２にセットされた原稿のスキャンを開始する。また、画像処理装置１００は、原稿がトレー２３にセットされた状態でスキャン指示を受け付けると、原稿は、ＡＤＦ２４によって１枚ずつ自動的に読み取られる。
【００３２】
プリンター２５は、画像形成部９０Ｙ，９０Ｍ，９０Ｃ，９０Ｋと、ＩＤＣセンサー１９と、転写ベルト３０と、一次転写ローラー３１と、転写駆動機３２と、二次転写ローラー３３と、カセット３７Ａ〜３７Ｃと、従動ローラー３８と、駆動ローラー３９と、タイミングローラ４０と、清掃装置４３と、定着器６０と、制御装置１０１とを備える。
【００３３】
画像形成部９０Ｙ，９０Ｍ，９０Ｃ，９０Ｋは、転写ベルト３０に沿って順に並べられている。画像形成部９０Ｙは、トナーボトル１５Ｙからトナーの供給を受けてイエロー（Ｙ）のトナー像を形成する。画像形成部９０Ｍは、トナーボトル１５Ｍからトナーの供給を受けてマゼンタ（Ｍ）のトナー像を形成する。画像形成部９０Ｃは、トナーボトル１５Ｃからトナーの供給を受けてシアン（Ｃ）のトナー像を形成する。画像形成部９０Ｋは、トナーボトル１５Ｋからトナーの供給を受けてブラック（ＢＫ）のトナー像を形成する。
【００３４】
画像形成部９０Ｙ，９０Ｍ，９０Ｃ，９０Ｋは、それぞれ、転写ベルト３０に沿って転写ベルト３０の回転方向の順に配置されている。画像形成部９０Ｙ，９０Ｍ，９０Ｃ，９０Ｋはそれぞれ、回転可能に構成されている感光体１０と、帯電装置１１と、露光装置１３と、現像器１４と、清掃装置１７と、トナーセンサ１８とを備える。
【００３５】
画像形成部９０Ｙ，９０Ｍ，９０Ｃ，９０Ｋがそれぞれ、上述したように作動した後に、転写駆動機３２の転写によって、イエロー（Ｙ）のトナー像、マゼンタ（Ｍ）のトナー像、シアン（Ｃ）のトナー像、およびブラック（ＢＫ）のトナー像が順に重ねられて感光体１０から転写ベルト３０に転写される。これにより、カラーのトナー像が転写ベルト３０上に形成される。
【００３６】
ＩＤＣセンサー１９は、転写ベルト３０上に形成されるトナー像３５の濃度を検知する。典型的には、ＩＤＣセンサー１９は、反射型フォトセンサーからなる光強度センサーであり、転写ベルト３０の表面からの反射光強度を検知する。
【００３７】
転写ベルト３０は、従動ローラー３８と駆動ローラー３９とに張架されている。駆動ローラー３９はモーター（図示しない）に接続されている。制御装置１０１が当該モーターを制御することにより、駆動ローラー３９は回転する。転写ベルト３０および従動ローラー３８は、駆動ローラー３９に連動して回転する。これにより、転写ベルト３０上のトナー像３５が二次転写ローラー３３に送られる。
【００３８】
カセット３７Ａ〜３７Ｃのそれぞれには、異なる大きさの用紙がセットされる。用紙は、記録媒体の一例である。用紙は、カセット３７Ａ〜３７Ｃのいずれかから１枚ずつタイミングローラ４０によって搬送経路４１に沿って二次転写ローラー３３に送られる。制御装置１０１は、用紙が送り出されるタイミングに合わせて、二次転写ローラー３３に印加する転写電圧を制御する。
【００３９】
二次転写ローラー３３は、トナー像３５と反対極性の転写電圧を搬送中の用紙に印加する。その結果、トナー像３５は、転写ベルト３０から二次転写ローラー３３に引き付けられ、転写ベルト３０上のトナー像３５が転写される。二次転写ローラー３３への用紙の搬送タイミングは、転写ベルト３０上のトナー像３５の位置に合わせてタイミングローラ４０によって制御される。その結果、転写ベルト３０上のトナー像３５は、用紙の適切な位置に転写される。
【００４０】
定着器６０は、定着器６０を通過する用紙を加圧および加熱する。これにより、トナー像は用紙に定着する。その後、用紙は、トレー４８に排紙される。
【００４１】
清掃装置４３は、転写ベルト３０から用紙へのトナー像の転写後に転写ベルト３０の表面に残留するトナーを回収する。回収されたトナーは、搬送スクリュー（図示しない）で搬送され、廃トナー容器（図示しない）に貯められる。
【００４２】
［ハードウェア構成］
図２を参照して、画像処理装置１００のハードウェア構成の一例について説明する。図２は、画像処理装置１００の主要なハードウェア構成を示すブロック図である。
【００４３】
図２に示すように、画像処理装置１００は、制御装置１０１と、ＲＯＭ（Read  Only  Memory）１０２と、ＲＡＭ（Random  Access  Memory）１０３と、通信インターフェイス１０４と、操作パネル１０５と、スキャナー２０と、画像形成部９０と、記憶装置１２０とを含む。なお、本開示においては、制御装置１０１と定着器６０とが、定着装置７０を構成するものとする。
【００４４】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００４５】
制御装置１０１は、画像処理装置１００の制御パラメータを調整するためのプログラム１２２などの各種プログラムを実行することで画像処理装置１００の動作を制御する。制御装置１０１は、プログラム１２２の実行命令を受け付けたことに基づいて、記憶装置１２０からＲＡＭ１０３にプログラム１２２を読み出す。ＲＡＭ１０３は、ワーキングメモリとして機能し、プログラム１２２の実行に必要な各種データを一時的に格納する。
【００４６】
通信インターフェイス１０４には、アンテナ（図示しない）などが接続される。画像処理装置１００は、アンテナを介して、外部の通信機器との間でデータをやり取りする。外部の通信機器は、たとえば、スマートフォンなどの携帯通信端末、サーバーなどを含む。画像処理装置１００は、プログラム１２２をアンテナを介してサーバーからダウンロードできるように構成されてもよい。
【００４７】
操作パネル１０５は、ディスプレイとタッチパネルとで構成されている。ディスプレイおよびタッチパネルは互いに重ねられており、画像処理装置１００に対する操作をタッチ操作で受け付ける。一例として、操作パネル１０５は、制御パラメータの調整処理を実行するための操作などを受け付ける。
【００４８】
記憶装置１２０は、たとえば、ハードディスクや外付けの記憶装置などの記憶媒体である。記憶装置１２０は、本実施の形態に従うプログラム１２２などを格納する。ただし、プログラム１２２の格納場所は記憶装置１２０に限定されず、制御装置１０１の記憶領域（たとえば、キャッシュなど）、ＲＯＭ１０２、ＲＡＭ１０３、外部機器（たとえば、サーバー）などに格納されていてもよい。
【００４９】
プログラム１２２は、単体のプログラムとしてではなく、任意のプログラムの一部に組み込まれて提供されてもよい。この場合、本実施の形態に従う制御処理は、任意のプログラムと協働して実現される。このような一部のモジュールを含まないプログラムであっても、本実施の形態に従うプログラム１２２の趣旨を逸脱するものではない。
【００５０】
［定着装置７０］
図３を参照して、定着装置７０について説明する。図３は、第１の実施の形態に係る定着装置の構成を示す図である。
【００５１】
図３に示すように、定着装置７０は、定着器６０と、インバーター電源７１と、電圧検出部７２と、判定部７３と、電流制御部７４とを備える。定着器６０の詳細は、後述する。
【００５２】
インバーター電源７１は、定着器６０の備える電磁誘導コイル６４に対して交流電力を供給する。それにより、電磁誘導コイル６４が発生する磁束が変化し、加熱ローラー６２に電磁誘導が生じる。
【００５３】
電圧検出部７２は、インバーター電源７１から供給された電力により電磁誘導コイル６４に発生する電圧を検出する。
【００５４】
判定部７３は、電圧検出部７２からの電圧情報をもとに、定着器６０の備える電磁誘導コイル６４と加熱ローラー６２とが平行に配置されているかどうかを判定する。当該配置判定処理については、詳細を後述する。
【００５５】
電流制御部７４は、判定部７３からの指示に基づき、インバーター電源７１に制御信号を発信し、インバーター電源７１から電磁誘導コイル６４に流れる電流の大きさを制御する。
【００５６】
［定着器６０］
図４を参照して、定着器６０について説明する。図４は、定着器６０の構成を示す図である。
【００５７】
図４Ａに示すように、定着器６０は、加圧ローラー６１と、被加熱体としての加熱ローラー６２と、電磁誘導コイルユニット６３と、磁束変化部としての第１および第２の磁束変化ユニット６７ａ，６７ｂとを備えている。
【００５８】
加圧ローラー６１と加熱ローラー６２とは、いずれも円柱形状のローラーであり、互いに対向するように平行に配置されている。加圧ローラー６１と加熱ローラー６２との接触部を、用紙が通過されることにより、用紙上に形成されたトナー像が加熱および加圧され、トナー像が用紙に定着される。
【００５９】
電磁誘導コイルユニット６３は、高耐熱の樹脂成型物で形成される。電磁誘導コイルユニット６３は、加熱ローラー６２の外形に沿うような断面形状を有し、加圧ローラー６１の長手方向に沿って配置される。電磁誘導コイルユニット６３の、加圧ローラー６１に対向する内周面の内側には、長手方向に沿って、電磁誘導コイル６４が配置されている。
【００６０】
電磁誘導コイル６４は、定着装置７０の備えるインバーター電源７１（図３参照）からのスイッチング信号を受けて、電磁誘導を引き起こす。その結果、加熱ローラー６２内部に設けられた抵抗（図示せず）に電流が流れることによりジュール熱が発生する。このジュール熱により、加熱ローラー６２は加熱される。
【００６１】
磁束変化ユニット６７ａ，６７ｂは、電磁誘導コイルユニット６３内部に、長手方向に沿った異なる位置に２つ配置されている。磁束変化ユニット６７ａ，６７ｂは、スイッチ６９ａ，６９ｂの制御によって短絡可能に構成された消磁コイル６８ａ，６８ｂをそれぞれを備える。スイッチング制御により消磁コイル６８ａ，６８ｂをそれぞれ短絡すると、電磁誘導コイル６４が引き起こす電磁誘導により発生した磁束の影響で消磁コイル６８ａ，６８ｂに電流が発生し、電磁誘導により発生した磁束を打ち消す逆向きの磁束が発生する。このため、消磁コイルの短絡を制御することで、電磁誘導コイル６４が発生する磁束を変化させることができる。
【００６２】
図４Ｂは、電磁誘導コイルユニット６３と加熱ローラー６２とが平行に配置されていない場合を示している。この場合、長手方向一端側の加熱ローラー６２と電磁誘導コイルユニット６３との距離Ｌ１は、長手方向他端側の加熱ローラー６２と電磁誘導コイルユニット６３との距離Ｌ２に比べて短くなる。この場合、本実施形態に係る定着装置７０は、電磁誘導コイルユニット６３と加熱ローラー６２とが予め定められた位置として規定された平行に配置されていないことを検知することができる。
【００６３】
具体的には、電圧検出部７２は、第１の消磁コイルが短絡されたときの電圧の変化値と、第２の消磁コイルが短絡されたときの電圧の変化値とを検出する。そして、判定部７３は、第１の消磁コイルが短絡されたときの電圧の変化値と、第２の消磁コイルが短絡されたときの電圧の変化値とを比較し、加熱ローラー６２と電磁誘導コイルユニット６３とが平行に配置されているか否かを判定する。
【００６４】
図５を参照して、電磁誘導コイルユニット６３と加熱ローラー６２との配置と、加熱ローラー６２の温度との関係について説明する。図５は、電磁誘導コイルユニット６３と加熱ローラー６２との配置と、加熱ローラー６２との温度の関係を示す図である。
【００６５】
図５Ａに示すように、電磁誘導コイルユニット６３が加熱ローラー６２に対して平行である場合、加熱ローラー６２における磁束変化は一様となる。そのため、加熱ローラー６２は一様に誘電加熱され、長手方向に亘ってほぼ均一に目標温度を上回ることとなる。その結果、定着器６０は、正常に用紙上の画像を定着することができる。ここで、加熱ローラー６２の温度は、加熱ローラー６２の長手方向中央付近に設けられた温度センサ６５によって計測される。
【００６６】
図５Ｂに示すように、電磁誘導コイルユニット６３内の電磁誘導コイル６４と加熱ローラー６２とが平行にない場合、加熱ローラー６２の温度分布に偏りが生じる。これは、電磁誘導コイル６４と加熱ローラー６２とが離れることにより、磁気結合が弱くなり発熱効率が悪化することに起因している。この場合、電磁誘導コイルユニット６３と加熱ローラー６２との距離が遠くなる側では、目標温度まで十分に加熱することができない。
【００６７】
図５Ｃに示すように、本実施形態にかかる定着装置では、判定部７３によって電磁誘導コイル６４と加熱ローラー６２とが平行に配置されていないと判定された場合に、電流制御部７４は、電磁誘導コイル６４に流れる電流量を増加させて、誘導加熱による加熱量を増加させる。その結果、電磁誘導コイルユニット６３と加熱ローラー６２との距離が遠くなる側においても目標温度を上回ることができる。ここで好ましくは、電磁誘導コイル６４を電磁誘導コイルユニット内に一様に配置する。このようにすることで、前記誘導加熱による加熱量は、長手方向の一端側と他端側とで一様に増加する。
【００６８】
［処理手順］
図６を参照して、定着装置７０における配置判定処理の手順を説明する。図６は、第１の実施の形態にかかる配置判定処理の手順を示すフローチャートである。当該処理は、たとえば制御装置１０１のＣＰＵが所与のプログラムを実行することによって実現される。
【００６９】
ステップＳ６１０において、制御装置１０１は、電流制御部７４として、インバーター電源７１に制御信号を供給する。これにより、電磁誘導コイル６４に交流電流が流れることとなり、電磁誘導が発生する。その結果、加熱ローラー６２が誘導加熱により加熱される。制御装置１０１は、制御をステップＳ６２０へ切り替える。
【００７０】
ステップＳ６２０において、制御装置１０１は、第１の消磁コイル６８ａをＯＮ（短絡）にする。これにより、電磁誘導コイル６４による変動する磁束が消磁コイル６８ａ内を通過することとなり、消磁コイル６８ａ内には、当該磁束を打ち消す方向の磁束（消磁磁束）が発生する。制御装置１０１は、制御をステップＳ６３０へ切り替える。
【００７１】
ステップＳ６３０において、制御装置１０１は、電圧検出部７２として、消磁磁束により磁束を変化させたときの電圧の変化値を検知する。制御装置１０１は、制御をステップＳ６４０へ切り替える。
【００７２】
ステップＳ６４０において、制御装置１０１は、第１の消磁コイル６８ａをＯＦＦにする。これにより、第１の消磁コイル６８ａ内に電流が流れなくなる。制御装置１０１は、制御をステップＳ６５０へ切り替える。
【００７３】
ステップＳ６５０において、制御装置１０１は、第２の消磁コイル６８ｂをＯＮ（短絡）にする。これにより、電磁誘導コイル６４による変動する磁束が第２の消磁コイル６８ｂ内を通過することとなり、消磁コイル６８ｂ内には、当該磁束を打ち消す方向の磁束（消磁磁束）が発生する。制御装置１０１は、制御をステップＳ６６０へ切り替える。
【００７４】
ステップＳ６６０において、制御装置１０１は、電圧検出部７２として、消磁磁束により磁束を変化させたときの電圧の変化値を検知する。制御装置１０１は、制御をステップＳ６７０へ切り替える。
【００７５】
ステップＳ６７０において、制御装置１０１は、第２の消磁コイル６８ｂをＯＦＦにする。これにより、第２の消磁コイル６８ｂ内に電流が流れなくなる。制御装置１０１は、制御をステップＳ６８０へ切り替える。
【００７６】
ステップＳ６８０において、制御装置１０１は、判定部７３として、第１の消磁コイルによる電圧の変化値と、第２の消磁コイルによる電圧の変化値とを比較する。第１の消磁コイルによる電圧の変化と、第２の消磁コイルによる電圧の変化とが等しい場合（ステップＳ６８０においてＹＥＳ）、制御装置１０１は、制御をステップＳ６９０に切り替える。そうでない場合（ステップＳ６８０においてＮＯ）、制御装置１０１は、制御をステップＳ６９５に切り替える。
【００７７】
ステップＳ６９０において、判定部７３は、電磁誘導コイル６４と加熱ローラー６２とが平行にあると判定し、処理を終了する。
【００７８】
ステップＳ６９５において、判定部７３は、電磁誘導コイル６４と加熱ローラー６２とが平行にないと判定する。そして、制御装置１０１は、電流制御部７４として、電磁誘導コイル６４に流れる電流量を増加させて、加熱制御を行う。その後、制御装置１０１は、処理を終了する。
【００７９】
＜第２の実施の形態＞
［概要］
第２の実施の形態では、判定部１７３は電圧検出部７２が検出した電圧の変化として得られた値と、電磁誘導コイル６４と加熱ローラーとが予め定められた位置関係に配置されている場合の電圧の変化である正常変化値とを比較する点で、第１の実施の形態と異なる。なお、本実施形態においては、前述の実施の形態に係る画像処理装置１００が備える構成と同様の構成には、画像処理装置１００の符号と同一の符号を付してある。したがって、それらの説明は繰り返さない。
【００８０】
［詳細］
図７を参照して、第２の実施の形態に係る定着装置１７０について説明する。図７は、第２の実施の形態に係る定着装置１７０について示す図である。
【００８１】
第２の実施の形態に係る定着装置１７０は、記憶装置１２０に、電磁誘導コイル６４と加熱ローラー６２とが予め定められた位置関係に配置されている場合の電圧の変化である正常変化値を備えている。そして、判定部１７３は、電圧検出値と正常変化値とを比較することにより、電磁誘導コイル６４と加熱ローラー６２とが平行にあるか否かを判定する。
【００８２】
図８を参照して、第２の実施の形態における配置判定処理の手順を説明する。図８は、第２の実施の形態に係る配置判定処理の手順を示すフローチャートである。当該処理は、たとえば制御装置１０１のＣＰＵが所与のプログラムを実行することにより実現される。
【００８３】
ステップＳ８１０からステップＳ８７０までは、第１の実施の形態におけるステップＳ６１０からステップＳ６７０までと同様のため、説明を繰り返さない。ステップＳ８８０において、判定部１７３は、記憶装置１２０から比較値としての正常変化値を読み出す。制御装置１０１は、制御をステップＳ８９０に切り替える。
【００８４】
ステップＳ８９０において、制御装置１０１は、判定部１７３として、第１の消磁コイル６８ａにおける磁束変化に伴う電圧の変化値と、正常変化値とを比較する。第１の消磁コイルにおける磁束変化に伴う電圧の変化と、正常変化値とが等しい場合（ステップＳ８９０においてＹＥＳ）、制御装置１０１は、制御をステップＳ９００に切り替える。そうでない場合（ステップＳ８９０においてＮＯ）、制御装置１０１は、ステップＳ９１５の処理を行う。
【００８５】
ステップＳ９００において、制御装置１０１は、判定部１７３として、第２の消磁コイル６８ｂによる電圧の変化と、正常変化値とを比較する。第２の消磁コイルによる電圧の変化値と、正常変化値とが等しい場合（ステップＳ９００においてＹＥＳ）、制御装置１０１は、制御をステップＳ９１０に切り替える。そうでない場合（ステップＳ９００においてＮＯ）、制御装置１０１は、ステップＳ９１５の処理を行う。
【００８６】
ステップＳ９１０において、判定部１７３は、電磁誘導コイル６４と加熱ローラー６２とが平行にあると判定し、処理を終了する。
【００８７】
ステップＳ９１５において、制御装置１０１は、判定部１７３として、電磁誘導コイル６４と加熱ローラー６２とが平行にないと判定し、加熱制御を行う。その後、制御装置１０１は、処理を終了する。
【００８８】
＜第３の実施の形態＞
［概要］
第３の実施の形態では、定着装置２７０は、電磁誘導コイル６４の加熱ローラー６２に対する位置を変更するように構成された駆動部７５をさらに備える点で第１の実施の形態と異なる。なお、本実施形態においては、前述の実施の形態に係る画像処理装置１００が備える構成と同様の構成には、画像処理装置１００の符号と同一の符号を付してある。したがって、それらの説明は繰り返さない。
【００８９】
［詳細］
図９を参照して、第３の実施の形態に係る定着装置２７０について説明する。図９は、第３の実施の形態に係る定着装置２７０について示す図である。
【００９０】
図９に示すように、定着装置２７０は、電磁誘導コイル６４の加熱ローラー６２に対する位置を変更するように構成された駆動部７５と、駆動部７５を制御するように構成された駆動制御部７６とをさらに備える。
【００９１】
定着装置２７０では、判定部７３が、電磁誘導コイル６４と加熱ローラー６２とが平行にないことを判定すると、駆動制御部７６は、駆動部７５を制御して、電磁誘導コイルユニット６３を駆動する。そして、電磁誘導コイル６４の加熱ローラー６２に対する位置を平行にする。このような構成とすることで、加熱ローラー６２を均一に加熱することが可能となり、定着装置２７０における定着作業の品質を確保することができる。
【００９２】
＜第４の実施の形態＞
［概要］
第４の実施の形態では、定着装置３７０は、磁束変化部として、コア材７７と、コア材７７を電磁誘導コイル６４の長手方向に沿って移動させるように構成されたコア材駆動部７８とを備える点で第１の実施の形態と異なる。なお、本実施形態においては、前述の実施の形態に係る画像処理装置１００が備える構成と同様の構成には、画像処理装置１００の符号と同一の符号を付してある。したがって、それらの説明は繰り返さない。
【００９３】
［詳細］
図１０を参照して、第４の実施の形態に係る定着装置３７０について説明する。図１０は、第４の実施の形態に係る定着装置３７０について示す図である。
【００９４】
図１０に示すように、定着装置３７０は、周囲の磁束密度を変化させるコア材７７と、コア材７７を電磁誘導コイル６４の長手方向に沿って移動させるように構成されたコア材駆動部７８と、コア材駆動部７８を制御するように構成されたコア材駆動制御部７９とを備える。
【００９５】
定着装置３７０では、磁束変化部として、コア材駆動部７８がコア材７７を電磁誘導コイル６４の長手方向に移動させる。その結果、電磁誘導コイル６４が発生する磁束は、コア材７７の移動に伴い、変化する。そして、電圧検出部７２は、当該磁束の変化に伴う電圧の変化を検出する。
【００９６】
＜第５の実施の形態＞
［概要］
第５の実施の形態では、定着装置４７０は、電磁誘導コイル６４に流れる電流を変化させて、電圧の変化を検出するように構成されている点で、第１の実施の形態と異なる。なお、本実施形態においては、前述の実施の形態に係る画像処理装置１００が備える構成と同様の構成には、画像処理装置１００の符号と同一の符号を付してある。したがって、それらの説明は繰り返さない。
【００９７】
［詳細］
図１１を参照して、第５の実施の形態に係る定着装置４７０について説明する。図１１は、第４の実施の形態に係る定着装置４７０について示す図である。
【００９８】
図１１に示すように、定着装置４７０は、電磁誘導コイルユニット６３内に設けられた３つの電磁誘導コイル６４ａ，６４ｂ，６４ｃと、それら３つの電磁誘導コイル６４のいずれか１つに電力を供給する３つのインバーター電源７１ａ，７１ｂ，７１ｃと、それら３つのインバーター電源のいずれかの電圧を検出する３つの電圧検出部７２ａ，７２ｂ，７２ｃとを備える。
【００９９】
電流制御部７４は、インバーター電源のいずれか１つを制御して、電磁誘導コイル６４内を流れる電流量を変化させる。それに伴い、電磁誘導コイル６４内の電圧が変化することとなり、電圧検出部７２はその電圧の変化を検出する。判定部７３は、このときの電圧の変化値と記憶装置１２０に記憶されている正常変化値とを比較することで、電磁誘導コイル６４と加熱ローラー６２とが平行にあるか否かを判定する。
【０１００】
図１２を参照して、第５の実施の形態に係る配置判定処理の手順を説明する。図１２は、第５の実施の形態に係る配置判定処理の手順を示すフローチャートである。当該処理は、たとえば制御装置１０１のＣＰＵが所与のプログラムを実行することにより実現される。
【０１０１】
ステップＳ１２１０において、制御装置１０１は、電流制御部７４として、インバーター電源７１ａに制御信号を供給する。これにより、電磁誘導コイル６４ａに交流電流が流れることとなり、電磁誘導が発生する。その結果、加熱ローラー６２が誘導加熱により加熱される。制御装置１０１は、制御をステップＳ１２２０へ切り替える。
【０１０２】
ステップＳ１２２０において、制御装置１０１は、電圧検出部７２ａから電流の変化に伴う電圧の変化値を検出する。制御装置１０１は、制御をステップＳ１２３０へ切り替える。
【０１０３】
ステップＳ１２３０において、制御装置１０１は、電流制御部７４として、インバーター電源７１ａをＯＦＦにする。制御装置１０１は、制御をステップＳ１２４０へ切り替える。
【０１０４】
ステップＳ１２４０において、制御装置１０１は、電流制御部７４として、インバーター電源７１ｂに制御信号を供給する。これにより、電磁誘導コイル６４ｂに交流電流が流れることとなり、電磁誘導が発生する。その結果、加熱ローラー６２が誘導加熱により加熱される。制御装置１０１は、制御をステップＳ１２５０へ切り替える。
【０１０５】
ステップＳ１２５０において、制御装置１０１は、電圧検出部７２ｂから電圧の変化値を検出する。制御装置１０１は、制御をステップＳ１２６０へ切り替える。
【０１０６】
ステップＳ１２６０において、制御装置１０１は、電流制御部７４として、インバーター電源７１ｂをＯＦＦにする。制御装置１０１は、制御をステップＳ１２７０へ切り替える。
【０１０７】
ステップＳ１２７０において、制御装置１０１は、電流制御部７４として、インバーター電源７１ｃに制御信号を供給する。これにより、電磁誘導コイル６４ｃに交流電流が流れることとなり、電磁誘導が発生する。その結果、加熱ローラー６２が誘導加熱により加熱される。制御装置１０１は、制御をステップＳ１２８０へ切り替える。
【０１０８】
ステップＳ１２８０において、制御装置１０１は、電圧検出部７２ｃから電圧の変化値を検出する。制御装置１０１は、制御をステップＳ１２９０へ切り替える。
【０１０９】
ステップＳ１２９０において、制御装置１０１は、電流制御部７４として、インバーター電源７１ｃをＯＦＦにする。制御装置１０１は、制御をステップＳ１３００へ切り替える。
【０１１０】
ステップＳ１３００において、制御装置１０１は、記憶装置１２０から比較値としての正常変化値を読み出す。制御装置１０１は、制御をステップＳ１３１０へ切り替える。
【０１１１】
ステップＳ１３１０において、制御装置１０１は、判定部７３として、電圧検出部７２ａから取得した電圧の変化値と、比較値とを比較する。電圧の変化値と比較値とが等しい場合（ステップＳ１３１０においてＹＥＳ）、制御装置１０１は、制御をステップＳ１３２０に切り替える。そうでない場合（ステップＳ１３１０においてＮＯ）、制御装置１０１は、ステップＳ１３４５に切り替える。
【０１１２】
ステップＳ１３２０において、制御装置１０１は、判定部７３として、電圧検出部７２ｂから取得した電圧の変化値と、比較値とを比較する。電圧の変化値と比較値とが等しい場合（ステップＳ１３２０においてＹＥＳ）、制御装置１０１は、制御をステップＳ１３３０に切り替える。そうでない場合（ステップＳ１３２０においてＮＯ）、制御装置１０１は、ステップＳ１３４５に切り替える。
【０１１３】
ステップＳ１３３０において、制御装置１０１は、判定部７３として、電圧検出部７２ｃから取得した電圧の変化値と、比較値とを比較する。電圧の変化値と、比較値とが等しい場合（ステップＳ１３３０においてＹＥＳ）、制御装置１０１は、制御をステップＳ１３４０に切り替える。そうでない場合（ステップＳ１３３０においてＮＯ）、制御装置１０１は、ステップＳ１３４５に切り替える。
【０１１４】
ステップＳ１３４０において、判定部７３は、電磁誘導コイル６４と加熱ローラー６２とが平行にあると判定し、処理を終了する。
【０１１５】
一方、ステップＳ１３４５において、判定部７３は、電磁誘導コイル６４と加熱ローラー６２とが平行にないと判定し、加熱制御を行う。その後、処理を終了する。
【０１１６】
＜第６の実施の形態＞
［概要］
第６の実施の形態では、判定部２７３は、電磁誘導コイル６４と加熱ローラー６２とが平行に配置されていないと判定した場合に、さらに、電圧検出部７２が検出した電圧の変化値が、画像形成部９０による記録媒体への画像形成の品質に関する閾値を超えるかどうかを判定する。なお、本実施形態においては、前述の実施の形態に係る画像処理装置１００が備える構成と同様の構成には、画像処理装置１００の符号と同一の符号を付してある。したがって、それらの説明は繰り返さない。
【０１１７】
［詳細］
図１３を参照して、第６の実施の形態に係る定着装置５７０および画像処理装置２００について説明する。図１３は、第６の実施の形態に係る定着装置５７０および画像処理装置２００について示す図である。
【０１１８】
図１３に示すように、定着装置５７０は、画像制御部８０を備える。第６の実施の形態に係る判定部２７３は、電磁誘導コイル６４と加熱ローラー６２とが予め定められた位置関係に配置されていないと判定した場合、さらに電圧検出部７２が検出した電圧の変化値が画像形成部９０による記録媒体への画像形成の品質に関する閾値を超えるかどうかを判定する。
【０１１９】
電圧検出部７２が検出した電圧の変化値が、画像形成部９０による記録媒体への画像形成の品質に関する閾値以下であるときは、第１の実施の形態で説明したとおり、電流制御部７４は、誘導加熱による加熱量を増加させる。
【０１２０】
一方、電圧検出部７２が検出した電圧が画像形成部９０による記録媒体への画像形成の品質に関する閾値を超えたときは、画像品質に影響があるために通常の画像形成が不可能な状態と判断される。この場合、画像制御部８０は、一部の機能に限定を加えるように画像形成部９０を制御する。
【０１２１】
一部の機能に対する限定として、例えば、画像形成部９０が記録媒体に形成する画像の幅を狭くすることが含まれる。この場合、画像制御部８０は、画像形成部９０に対して狭められた幅を超えた幅の画像の形成が指示された場合には、当該画像のうち狭められた幅に対応する画像のみを形成するように画像形成部９０を制御する。ここで画像形成部９０は、例えば、形成する画像の向きを９０度回転させることにより、当該狭められた幅に対応する画像のみを形成する。
【０１２２】
または、画像制御部８０は、画像形成部９０に対して狭められた幅を超えた幅の画像の形成が指示された場合に、狭められた幅に対応するように当該画像を縮小して形成するように画像形成部９０を制御する。
【０１２３】
または、画像制御部８０は、画像形成部９０の一部の機能に対して当該限定を加えた場合に、スキャナー２０の画像読取機能を維持させるように画像処理装置２００を制御する。このようにすることで、電磁誘導コイル６４と加熱ローラー６２とが予め定められた位置関係に配置されていないことにより、画像形成が適切に行われない場合においても、利用可能な一部の機能については利用することができるので、ユーザーの利便性を確保することができる。
【０１２４】
図１４を参照して、第６の実施の形態における配置判定処理の手順を説明する。図１４は、第６の実施の形態に係る配置判定処理の手順を示すフローチャートである。
【０１２５】
ステップＳ１４１０からステップＳ１４９５までは、第１の実施の形態におけるステップＳ６１０からステップＳ６９５までと同様のため、説明を繰り返さない。ステップＳ１４９５の後、制御装置１０１は、制御をステップＳ１５００へ切り替える。
【０１２６】
ステップＳ１５００において、判定部２７３は、記憶装置１２０から画像形成の品質に関する閾値を読み出す。制御装置１０１は、制御をステップＳ１５１０へ切り替える。
【０１２７】
ステップＳ１５１０において、判定部２７３は、第１の消磁コイル６８ａによる電圧の変化値と、第２の消磁コイル６８ｂによる電圧の変化値とを比較する。第１の消磁コイル６８ａによる電圧の変化値が第２の消磁コイル６８ｂによる電圧の変化値より大きい場合、（ステップＳ１５１０においてＹＥＳ）、制御装置１０１は、制御をステップＳ１５２０に切り替える。そうでない場合（ステップＳ１５１０においてＮＯ）、制御装置１０１は、制御をステップＳ１５３０に切り替える。
【０１２８】
ステップＳ１５２０において、判定部２７３は、第１の消磁コイル６８ａによる電圧の変化値と、閾値とを比較する。第１の消磁コイル６８ａによる電圧の変化値が閾値より大きい場合、（ステップＳ１５２０においてＹＥＳ）、制御装置１０１は、制御をステップＳ１５４０に切り替える。そうでない場合（ステップＳ１５２０においてＮＯ）、制御装置１０１は、ステップＳ１５６０に切り替える。
【０１２９】
一方、ステップＳ１５３０において、判定部２７３は、第２の消磁コイル６８ｂによる電圧の変化値と、閾値とを比較する。第２の消磁コイル６８ｂによる電圧の変化値が閾値より大きい場合、（ステップＳ１５３０においてＹＥＳ）、制御装置１０１は、制御をステップＳ１５４０に切り替える。そうでない場合（ステップＳ１５３０においてＮＯ）、制御装置１０１は、ステップＳ１５６０に切り替える。
【０１３０】
ステップＳ１５４０において、判定部２７３は、電磁誘導コイル６４と加熱ローラー６２との配置が画像品質に影響があると判定する。制御装置１０１は、制御をステップＳ１５５０に切り替える。
【０１３１】
ステップＳ１５５０において、画像制御部８０は、通常の画像形成が不可能と判断し、画像形成部９０の一部の機能に対して限定を加えるように画像形成部９０を制御する。制御装置１０１は、処理を終了する。
【０１３２】
一方、ステップＳ１５６０において、判定部２７３は、電磁誘導コイル６４と加熱ローラー６２との配置は、画像品質に影響がないと判定する。制御装置１０１は、制御をステップＳ１５７０に切り替える。
【０１３３】
ステップＳ１５７０において、制御装置１０１は、電流制御部７４として、誘導加熱による加熱量が増加するように、電磁誘導コイル６４に流れる電流量を増加させる。制御装置１０１は、処理を終了する。
【０１３４】
＜他の実施の形態＞
本開示において示された技術的思想の適用範囲は、上述の実施の形態に限定されない。たとえば、電磁誘導コイル６４と加熱ローラー６２との予め定められた位置関係は、平行に限定されない。たとえば、予め定められた位置関係として、電磁誘導コイル６４と加熱ローラー６２とが平行を保ったまま、所定の範囲を超えて遠ざかる位置関係に配置されているか否かや、所定の範囲を超えて近づく位置関係にあるか否かなどを判定部７３に判定させることもできる。この場合、予め定められた範囲における電圧の変化値を、比較値として記憶装置１２０に記憶させておき、電圧検出部７２が検出した電圧の変化値と比較させればよい。
【０１３５】
また、上記実施形態では、電磁誘導コイル６４と加熱ローラー６２との配置判定処理は、画像形成処理の前に行うように記載しているが、その他のタイミングであってもよい。たとえば、定着器６０または電磁誘導コイル６４が交換されたと制御装置１０１が判断したタイミングに配置判定処理を実施することができる。この場合、制御装置１０１は、カバーケースが開閉されたことをセンサーで検知することにより、定着器６０または電磁誘導コイル６４が交換されたと判断することができる。または、定着器６０または電磁誘導コイル６４の交換時期が到来した後に、カバーケースが開閉されたことをセンサーで検知した場合に、定着器６０または電磁誘導コイル６４が交換されたと判断してもよい。
【０１３６】
さらに上記実施形態では、判定部７３は、電圧検出部７２が検出した電圧の変化値を、他の値と比較することにより、電磁誘導コイル６４と加熱ローラー６２との配置判定を行っているが、比較以外の方法により判定を行ってもよい。例えば、判定部７３は、電圧検出部７２が検出した電圧の変化値と、他の値との差分を求め、当該差分が所定の範囲内であるか否かで判定してもよい。あるいは、電圧検出部７２が検出した電圧の変化値と、他の値との比率を求めて、当該比率が所定の閾値を上回るか否かで判定してもよい。
【０１３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３８】
１０  感光体、１１  帯電装置、１３  露光装置、１４  現像器、１５  トナーボトル、１７，４３  清掃装置、１８  トナーセンサ、１９  センサー、２０  スキャナー、２１  カバー、２２  用紙台、２３，４８  トレー、２５  プリンター、３０  転写ベルト、３１  一次転写ローラー、３２  転写駆動機、３３  二次転写ローラー、３５  トナー像、３７  カセット、３８  従動ローラー、３９  駆動ローラー、４０  タイミングローラ、４１  搬送経路、６０  定着器、６１  加圧ローラー、６２  加熱ローラー、６３  電磁誘導コイルユニット、６４  電磁誘導コイル、６５  温度センサ、６７  磁束変化ユニット、６８  消磁コイル、６９  スイッチ、７０，１７０，２７０，３７０，４７０，５７０  定着装置、７１  インバーター電源、７２  電圧検出部、７３，１７３，２７３  判定部、７４  電流制御部、７５  駆動部、７６  駆動制御部、７７  コア材、７８  コア材駆動部、７９  コア材駆動制御部、８０  画像制御部、９０  画像形成部、１００，２００  画像処理装置、１０１  制御装置、１０２  ＲＯＭ、１０３  ＲＡＭ、１０４  通信インターフェイス、１０５  操作パネル、１２０  記憶装置、１２２  プログラム。
【図１】
2019028263.tif 000003
【図２】
2019028263.tif 000004
【図３】
2019028263.tif 000005
【図４】
2019028263.tif 000006
【図５】
2019028263.tif 000007
【図６】
2019028263.tif 000008
【図７】
2019028263.tif 000009
【図８】
2019028263.tif 000010
【図９】
2019028263.tif 000011
【図１０】
2019028263.tif 000012
【図１１】
2019028263.tif 000013
【図１２】
2019028263.tif 000014
【図１３】
2019028263.tif 000015
【図１４】
2019028263.tif 000016